(57)【要約】【課題】  従来、座席の製造者が、座席用の組バネを各部材を組み合わせて取り付けていたのをモジュール化する【解決手段】    複数のウエーブスプリング１を平行にして並べ、２枚の織布または不織布５で挟み、前記２枚の織布または不織布５の一方の対向する２つの縁は、前記各ウエーブスプリング１の両端と実質的に一致させ、他の対向する両端の縁部は、前記ウエーブスプリング１を覆わない余分の部分を設け、該余分の部分を溶着し、２枚の織布または不織布５の内一方の表面に、ポケットコイル８の複数列を接触させて載置し、それらのポケットコイル８の袋の底面を不織布５の表面に接着固定してモジュールとし、座席の枠１０に固定したハンガーに各ウエーブスプリング１の両端部を係止具１３で係止し、前記織布または不織布５の対向する余分の部分を、枠１０の残りの対向する２辺に係止具で固定して使用する。【選択図】  図５
2006158410.tif 000002
【特許請求の範囲】
【請求項１】
複数のウエーブスプリングを平行に、横幅が前記各ウエーブスプリングの長手方向の幅と実質的に同じ幅で、縦幅が前記複数のウエーブスプリングの直角方向幅よりも長い幅の織布または不織布に載置し、その上に前記織布または不織布と同じ大きさの織布または不織布を重ね、前記２枚の織布または不織布の一方の対向する２つの縁は、前記各ウエーブスプリングの両端と実質的に一致させ、他の対向する両端の縁部は、前記ウエーブスプリングを覆わない余分の部分を設け、該余分の部分を接着、溶着または縫着してなり、
家具または車の座席の枠の対向する２辺にハンガーを係止具で係止し、そのハンガーに前記各ウエーブスプリングの両端を係止具で係止し、前記ウエーブスプリングを挟んだ織布または不織布の対向する余分の部分を、前記枠の残りの対向する２辺に係止具で固定して使用する座席用スプリングのモジュール。
【請求項２】
複数のウエーブスプリングを平行に、横幅が前記各ウエーブスプリングの長手方向の幅と実質的に同じ幅で、縦幅が前記複数のウエーブスプリングの直角方向幅よりも長い幅の織布または不織布に載置し、その上に前記織布または不織布と同じ大きさの織布または不織布を重ね、前記２枚の織布または不織布の一方の対向する２つの縁は、前記各ウエーブスプリングの両端と実質的に一致させ、他の対向する両端の縁部は、前記ウエーブスプリングを覆わない余分の部分を設け、該余分の部分を接着、溶着または縫着し、前記２枚の織布または不織布の内一方の表面で、前記ウエーブスプリングの上方の位置に、横に複数の室に仕切った織布または不織布製の袋の各室にコイルスプリングを収納し、各室の開口を閉じてなるポケットコイルの複数列を接触させて載置するか、または１列のポケットコイルを蛇腹式に曲げて載置し、それらのポケットコイルの袋の底面を前記ウエーブスプリングを挟んだ織布または不織布の表面に接着固定してなり、
家具または車の座席の枠の対向する２辺に固定したハンガーに前記各ウエーブスプリングの両端部を係止具で係止し、前記ウエーブスプリングを挟んだ織布または不織布の対向する余分の部分を、前記枠の残りの対向する２辺に係止具で固定して使用する座席用スプリングのモジュール。
【請求項３】
平行に並べた複数のウエーブスプリングを、それらに直角に中張を交叉させて係止具で係止固定して組バネを形成してなることを特徴とする請求項１または２に記載の座席用スプリングのモジュール。
【請求項４】
複数のウエーブスプリングの長手方向の両端にそれぞれ１本のハンガーを対向させ、各ウエーブスプリングの端部とハンガーを係止してモジュールとし、前記ハンガーと前記重ねた２枚の織布または不織布の余分の部分を前記座席の枠に係止して使用することを特徴とする請求項１乃至３のいずれかに記載の座席用スプリングのモジュール。
【請求項５】
織布または不織布の表面に載置した複数列のポケットコイルが互いに接し、かつ、その接触箇所を接着してあることを特徴とする請求項２、３および４のいずれかに記載の座席用スプリングのモジュール。
【請求項６】
複数のウエーブスプリングを平行にして挟んだ２枚の織布または不織布を、前記各ウエーブスプリング間に対応する箇所で接着、溶着または縫着してなることを特徴とする請求項１乃至５のいずれかに記載の座席用スプリングのモジュール。
【発明の詳細な説明】
【技術分野】
【０００１】
この発明は、椅子、車の座席や背もたれやベッドの床（以下これらを座席という）に用いる組バネをモジュール化したものに関するものである。
【背景技術】
【０００２】
従来の座席用スプリングは、特許文献１に示すように、複数のウエーブスプリング（ジグザグスプリング）を平行に並べ、それらに直角に寸法安定用の中張を結合して組バネを形成し、各ウエーブスプリングの端部を座席の枠に係止具で固定し、その上にウレタンフォーム等を載せ、その上を不織布等シートで覆っている。
また、非特許文献１に示すように、ウエーブスプリングに複数のコイルスプリングをＣリング等係止具で取付け、その上方および側方をウレタンフォーム等で囲み、その表面を布等シートで覆っている。
【特許文献１】特願２００１−６７３９９（図１、図７）
【非特許文献１】出願人のカタログ「ＣＨＡＩＲ  ＵＰＨＯＬＳＴＥＲＹ  ＰＲＯＤＵＣＴ        ＣＡＴＡＬＯＧＵＥ」（２００１年発行）（Ｐ．６〜１０）
【発明の開示】
【発明が解決しようとする課題】
【０００３】
上記従来の組バネの座席への取付けは、座席製造業者が、各部材、すなわち、ウエーブスプリング、中張、ポケットコイル、Ｃリング等をそれぞれ購入し、座席毎にそれら部材を結合し、座席の枠に取付けている。
従って、個別に各部材を購入し、保管しなければならない。
また、組立工により性能に差が生じ、座席のクッション性が不揃いになる。
また、組立工により組立時間に差異がある。
更に、コイルスプリングをＣリングでウエーブスプリングに固定しているので、コイルスプリングがＣリングすなわち点で支えられており、不安定で、継続使用によりコイルスプリングの傾きや落ち込みが生じ、クッション性を損なうおそれがある。
また、コイルスプリングをウエーブスプリングに金属性の係止具で固定しているので、金属接触によるキシミ音発生の防止手段を施す必要がある。
【課題を解決するための手段】
【０００４】
複数のウエーブスプリングを平行に、横幅が前記各ウエーブスプリングの長手方向の幅と実質的に同じ幅で、縦幅が前記複数のウエーブスプリングの直角方向幅よりも長い幅の織布または不織布に載置し、その上に前記織布または不織布と同じ大きさの織布または不織布を重ね、前記２枚の織布または不織布の一方の対向する２つの縁は、前記各ウエーブスプリングの両端と実質的に一致させ、他の対向する両端の縁部は、前記ウエーブスプリングを覆わない余分の部分を設け、該余分の部分を接着、溶着または縫着して座席用スプリングのモジュールを形成し、
家具または車の座席の枠の対向する２辺にハンガーを係止具で係止し、そのハンガーに前記各ウエーブスプリングの両端を係止具で係止し、前記ウエーブスプリングを挟んだ織布または不織布の対向する余分の部分を、前記枠の残りの対向する２辺に係止具で固定して使用する。
【０００５】
複数のウエーブスプリングを平行に、横幅が前記各ウエーブスプリングの長手方向の幅と実質的に同じ幅で、縦幅が前記複数のウエーブスプリングの直角方向幅よりも長い幅の織布または不織布に載置し、その上に前記織布または不織布と同じ大きさの織布または不織布を重ね、前記２枚の織布または不織布の一方の対向する２つの縁は、前記各ウエーブスプリングの両端と実質的に一致させ、他の対向する両端の縁部は、前記ウエーブスプリングを覆わない余分の部分を設け、該余分の部分を接着、溶着または縫着し、前記２枚の織布または不織布の内一方の表面で、前記ウエーブスプリングの上方の位置に、横に複数の室に仕切った織布または不織布製の袋の各室にコイルスプリングを収納し、各室の開口を閉じてなるポケットコイルの複数列を接触させて載置するか、または１列のポケットコイルを蛇腹式に曲げて載置し、それらのポケットコイルの袋の底面を前記ウエーブスプリングを挟んだ織布または不織布の表面に接着固定して座席用スプリングのモジュールを形成し、
家具または車の座席の枠の対向する２辺に固定したハンガーに前記各ウエーブスプリングの両端部を係止具で係止し、前記ウエーブスプリングを挟んだ織布または不織布の対向する余分の部分を、前記枠の残りの対向する２辺に係止具で固定して使用する。
【０００６】
平行に並べた複数のウエーブスプリングを、それらに直角に中張を交叉させて係止具で係止固定して組バネを形成し、織布または不織布で覆うのが好ましい。
【０００７】
複数のウエーブスプリングの長手方向の両端にそれぞれ１本のハンガーを対向させ、各ウエーブスプリングの端部とハンガーを係止してモジュールするのが好ましい。
このモジュールは、ハンガーと２枚の重ねた織布または不織布の余分の部分を座席の枠に係止して使用する。
【０００８】
織布または不織布の表面に載置した複数列のポケットコイルが互いに接し、かつ、その接触箇所を接着するのが好ましい。
【０００９】
複数のウエーブスプリングを平行にして挟んだ２枚の織布または不織布を、前記各ウエーブスプリング間に対応する箇所で接着、溶着または縫着するのが好ましい。
【発明の効果】
【００１０】
モジュールは、規格化出来、工場でオートメイション生産が可能で、コスト低減ができる。座席の製造業者は、個別にパーツを管理する必要がない。
座席の枠へのスプリングの取付けは、従来は各パーツを順次取付けていたが、モジュールは、各パーツが結合されているので、取付けが容易で、時間もかからず、作業ムラがない。
ポケットコイルは、その底面が木枠に固定した不織布の面で受けられるため、２枚の不織布で挟まれたウエーブスプリング全体で保持されることになり、ポケットコイルが安定し、落ち込みが防止され、クッション性を失うことがなく、また、金属接触音発生の防止措置を実施しなくてもよいので、コストを低減できる。
【発明を実施するための最良の形態】
【００１１】
図１に示すように、複数のウエーブスプリング１を平行に並べ、それらに直角に中張２を重ね、重ね合ったウエーブスプリング１の線部と中張２を係止具３で係止し、組バネ４を形成する。
【００１２】
次いで、組バネ４を不織布５に載置する。
不織布５は、図１に示すように、複数のウエーブスプリング１の直角方向の両側部は、組バネ４を覆わない部分（余分の部分）のある幅とし、他の両側は、各ウエーブスプリング１の両端に実質的に接する幅、すなわち、ウエーブスプリング１の長手方向の両側がわずかに顕出するか、または、覆う状態の幅とする。
前記余分部分は、後述のシート枠に固定する部分である。
不織布の代わりに他の布地や樹脂シート等のシートを用いてもよい。
【００１３】
次いで、図２に示すように、不織布５に載置した組バネ４の上に他の不織布５を重ね、２枚の不織布５の前記余分の部分を接着、溶着または縫い付けて固定すか、またはステープラ等係止具で固定する。
２枚の不織布の中間部、すなわち、平行に並べたウエーブスプリング１の間に対応する部分、を接着、溶着または縫い付けて固定すか、またはステープラ等係止具で固定するのが好ましい。
ただし、前記余分の部分以外の両側縁部は接着、溶着、縫着等で固定しない。
【００１４】
更に、図３に示すように、不織布またはその他の布製で複数の室に仕切った袋６の各室に１つづつのコイルスプリング７を収納させたポケットコイル８を形成する。
【００１５】
次いで、図４に示すように、複数のポケットコイル８を、組バネ４を挟んだ一方の不織布５の上に順次載置し、ポケットコイル８の底面を不織布５に接着して固定し、座席用スプリングモジュール９（以下モジュール９と言う）を形成する。なお、図５はモジュール９の平面視説明図で、ポケットコイル８を形式化して簡略表示した。
各ポケットコイル８の列は互いに接して接着連結させるのが、安定して好ましい。
【００１６】
このモジュール９の使用は次のとおりにする。
すなわち、図５に示すとおり、座席の枠１０の対向する２辺にハンガー１１、１１を又釘またはステープラー等の係止具１２で固定し、モジュール９の各ウエーブスプリング１の長手方向の一方の側辺を一方のハンガー１１に当接させて係止具１３で固定し、ウエーブスプリング１の他方の側辺を引っ張って他方のハンガー１１に当接し係止具１３で固定する。
次いで、不織布５の前記対向する余分の部分を枠１０の他の対向する２辺に当接させ、ステープラー等の係止具１４で係止固定する。
【００１７】
次いでポケットコイル８の周囲および上方をウレタン等クッション材で囲み、さらにそれをシートで覆い、シートの周縁部を枠１０に固定して座席とする。
【００１８】
コイルスプリングを使用しない座席の場合には、組バネ４を不織布５等シートで挟んで固定したものをモジュールとし、前記記載の要領で枠１０に固定し、クッション材とシートで覆って座席とする。
【００１９】
組バネ４は、平面視角型に限定するものではなく、座席の形状に応じて変形したものを用いる。
【００２０】
複数のウエーブスプリング１が２枚の不織布５等シートで挟まれれ接着または縫着した固定されて安定するので、中張２を省略してもよい。
【００２１】
２枚の不織布５等シートで挟んだ各ウエーブスプリング１の両端にハンガー１１を係止具１３で係止してモジュールとしてもよく、更に、このモジュールの一方の不織布５の表面にポケットコイル８を接着固定してモジュールとしてもよい。
【図面の簡単な説明】
【００２２】
【図１】不織布の上に組バネを載置した状態の説明図である。
【図２】組バネを２枚の不織布で挟む説明図である。
【図３】ポケットコイルの要部斜視図である。
【図４】座席用スプリングモジュールの平面図である。
【図５】座席用スプリングモジュールの座席枠に取付ける説明図である。
【符号の説明】
【００２３】
１    ウエーブスプリング
２    中張
３    係止具
４    組バネ
５    不織布
６    袋
７    コイルスプリング
８    ボケットコイル
９    モジュール
１０  枠
１１  ハンガー
１２、１３  係止具
【図１】
2006158410.tif 000003
【図２】
2006158410.tif 000004
【図３】
2006158410.tif 000005
【図４】
2006158410.tif 000006
【図５】
2006158410.tif 000007